(57)【要約】【課題】バキュームテーブルまたはフェルト等の媒体支持手段の支持面またはその支持面に支持された被加工媒体に形成された凹凸による切削加工の品質劣化を防止可能なカッティングプロッタを提供する。【解決手段】シート状の被加工媒体を支持する加工テーブルと、媒体支持手段に支持された被加工媒体に対向して設けられ被加工媒体の切削加工を行うエンドミルと、被加工媒体の加工具と対向する面に対して平行な方向及び垂直な方向に移動可能に支持するガイドレール３１及びＹバー３２と、エンドミルを移動させることにより被加工媒体を切削加工するように制御するコントロールユニット５０とを備えたカッティングプロッタにおいて、媒体支持手段に支持された被加工媒体の凹凸を検出する凹凸測定手段１００を備え、コントロールユニット５０は、凹凸測定手段１００により検出された凹凸を検出し、凹凸に沿ってエンドミルを移動させる制御を行う。【選択図】  図７
2011020203.tif 000002
【特許請求の範囲】
【請求項１】
シート状の被加工媒体を支持する支持面を有する媒体支持手段と、
前記媒体支持手段に前記支持面に対して平行な第１方向に延びて設けられた第１ガイドレールと、
前記第１ガイドレールに沿って前記第１方向に移動可能に取り付けられ、前記支持面に対して平行且つ前記第１方向に交差する第２方向に延びて設けられた第２ガイドレールと、
前記第２ガイドレールに沿って前記第２方向に移動可能に取り付けられたキャリッジと、
前記キャリッジに前記支持面に対して垂直な第３方向に移動可能に取り付けられ、前記被加工媒体の切削加工を行う加工具と、
前記第２ガイドレールを前記第１ガイドレールに沿って前記第１方向に移動させる制御と、前記キャリッジを前記第２ガイドレールに沿って前記第２方向に移動させる制御と、前記加工具を前記キャリッジに対して前記第３方向に移動させる制御とを行って、前記加工具により前記被加工媒体を切削加工させる加工制御手段とを備えたカッティングプロッタにおいて、
前記キャリッジに取り付けられ、前記キャリッジを前記第２ガイドレールに沿って前記第２方向にまたは前記第２ガイドレールを前記第１ガイドレールに沿って前記第１方向に移動させたときに、前記媒体支持手段に支持された被加工媒体の凹凸を測定する凹凸測定手段を備え、
前記加工制御手段は、前記加工具を前記被加工媒体に対して前記凹凸に沿って移動させるように前記キャリッジに対する前記加工具の移動制御を加えた制御を行うことを特徴とするカッティングプロッタ。
【発明の詳細な説明】
【技術分野】
【０００１】
本発明は、シート状の被加工媒体を支持する支持面を有する加工テーブルと、加工テーブル上に設けられた第１ガイドレール、第１ガイドレールに沿って移動可能に支持された第２ガイドレール、及び第２ガイドレールに沿って移動可能に支持されたキャリッジにより構成される加工具支持手段と、上記キャリッジに取り付けられ被加工媒体を所望の形状に切削加工するエンドミル等の加工具とを備えたカッティングプロッタに関する。
【背景技術】
【０００２】
シート状の被加工媒体に所望の加工を施す媒体加工装置としてプリンタ装置やカッティングプロッタ等がある。これらの媒体加工装置は、平板状の加工テーブル上に被加工媒体を載置保持し、この加工テーブルの上方に直線状に延びるように設けられる第１ガイドレールと、第１ガイドレールが延びる方向と交差する方向に延びるように設けられ第１ガイドレールに沿って移動可能に支持された第２ガイドレール（Ｙバーとも称される）と、第２ガイドレールに沿って移動可能に支持されたキャリッジ等により構成される加工具支持手段と、加工具支持手段に取り付けられ被加工媒体に加工を施す加工具と、加工具支持手段及び加工具の移動制御を行うことにより前記加工を制御する制御機構とを備えたものが周知となっている。
【０００３】
上述したような媒体加工装置においては、その加工品質を維持するため、媒体支持手段に載置された被加工媒体とキャリッジに支持された加工具の間の距離を一定にする必要がある。そこで、媒体支持手段の両端部に設けられた媒体支持手段を昇降させる一対の昇降手段と、当該両端部の高さを検出する高さ検出手段とが設けられた媒体加工装置がある（例えば、特許文献１を参照）。このような媒体加工装置では、高さ検出手段の検出結果に基づいて、上記昇降手段により媒体支持手段の両端部を昇降させることにより、媒体支持手段と加工具の間の距離を一定にすることが可能になっている。
【先行技術文献】
【特許文献】
【０００４】
【特許文献１】特開平１０−２６４４５７号公報
【発明の概要】
【発明が解決しようとする課題】
【０００５】
上記媒体加工装置の一種であり、被加工媒体を所望の形状に切削加工するカッティングプロッタでは、被加工媒体を吸着保持させるバキュームテーブルと、その上面にフェルトが載置された構成のものが周知となっている。このような構成のカッティングプロッタでは、上記バキュームテーブルの上面に公差等による微小な凹凸が発生していたり、フェルトに微小な高さのばらつきが生じていることがある。このような凹凸等を無視して被加工媒体の切削加工を行うと、切削の深さが均一にならないことがあり、被加工媒体の切削加工の品質が劣化する問題が発生する。また、被加工媒体の下面にあるフェルトを誤って切削することにより、フェルトの交換頻度が増加するという課題もあった。
【０００６】
本発明は、上記課題に鑑みてなされたものであり、バキュームテーブルまたはフェルト等の媒体支持手段の支持面またはその支持面に支持された被加工媒体に形成された凹凸による切削加工の品質劣化を防止可能なカッティングプロッタを提供することを目的とする。
【課題を解決するための手段】
【０００７】
上記目的を達成するため、本発明に係るカッティングプロッタは、シート状の被加工媒体を支持する支持面を有する媒体支持手段（例えば、実施形態における加工テーブル２０）と、媒体支持手段に支持面に対して平行な第１方向に延びて設けられた第１ガイドレール（例えば、実施形態におけるガイドレール３１）と、第１ガイドレールに沿って第１方向に移動可能に取り付けられ、支持面に対して平行且つ第１方向に交差する第２方向に延びて設けられた第２ガイドレール（例えば、実施形態におけるＹバー３２）と、第２ガイドレールに沿って第２方向に移動可能に取り付けられたキャリッジ（例えば、実施形態におけるスライダ４１）と、キャリッジに支持面に対して垂直な第３方向に移動可能に取り付けられ、被加工媒体の切削加工を行う加工具（例えば、実施形態におけるエンドミル４３）と、第２ガイドレールを第１ガイドレールに沿って第１方向に移動させる制御と、キャリッジを第２ガイドレールに沿って第２方向に移動させる制御と、加工具をキャリッジに対して第３方向に移動させる制御とを行って、加工具により被加工媒体を切削加工させる加工制御手段（例えば、実施形態におけるコントロールユニット５０）とを備えたカッティングプロッタにおいて、キャリッジに取り付けられ、キャリッジを第２ガイドレールに沿って第２方向にまたは第２ガイドレールを第１ガイドレールに沿って第１方向に移動させたときに、媒体支持手段に支持された被加工媒体の凹凸を測定する凹凸測定手段を備え、加工制御手段は、加工具を被加工媒体に対して凹凸に沿って移動させるようにキャリッジに対する加工具の移動制御を加えた制御を行うことを特徴とする。
【発明の効果】
【０００８】
本発明に係るカッティングプロッタにおいては、キャリッジを第２ガイドレールに沿って移動させたとき、または、第２ガイドレールを第１ガイドレールに沿って移動させたときに、媒体支持手段に支持された被加工媒体の凹凸を測定可能な凹凸測定手段が設けられることにより、切削加工前に上記凹凸を測定し、測定した凹凸に沿って加工具を移動させる制御を行うため、被加工媒体を支持する媒体支持手段であるバキュームテーブル、フェルト、またはその上面に載置された被加工媒体に凹凸が存在する場合でも、当該凹凸による切削加工の品質劣化を防止することができる。
【図面の簡単な説明】
【０００９】
【図１】本発明が適用されるカッティングプロッタを示す斜視図である。
【図２】上記カッティングプロッタに設けられたエンドミルの長手方向に延びる方向で切断したときの部分断面図であり、エンドミルにより被加工媒体を切削している様子を示す図である。
【図３】上記カッティングプロッタによる切削加工制御構成を示すブロック図である。
【図４】上記カッティングプロッタに凹凸測定手段を取り付けた様子を示す斜視図である。
【図５】（ａ）は、凹凸測定手段が取り付けられたスライダ付近を拡大した斜視図である。（ｂ）は、上記凹凸測定手段を示す斜視図である。
【図６】（ａ）は、バキュームテーブル及びフェルトに載置された被加工媒体の凹凸を上記凹凸測定手段により測定する様子を示す部分断面図である。（ｂ）は、カッティングデータを補正せずにＹ軸方向にそのまま切削加工した様子を示すバキュームテーブル、フェルト、及び被加工媒体の部分断面図である。（ｃ）は、上記凹凸測定手段により測定した凹凸を示す図である。
【図７】上記カッティングプロッタに上記凹凸測定手段を取り付け、上記凹凸測定手段を走査させることにより被加工媒体の凹凸を測定する様子を示した上面図である。
【発明を実施するための形態】
【００１０】
以下、図面を参照しながら本発明の好ましい実施形態について説明する。本発明を適用したカッティングプロッタ（カッティング装置）の一例として、アクリル板やアルミ複合板等の素材で形成されたシート状の被加工媒体を加工テーブルに固定保持させ、この被加工媒体に対してエンドミルを当接させ上下方向に昇降、及び水平面内の直交二軸方向に移動させて被加工媒体を所望の形状に切削加工する、Ｘ―Ｙプロッタタイプのカッティングプロッタ１の概略構成を図１に示す。以下の説明では、図１の紙面における上方向をＺ軸正方向、また、図１の紙面において右下方向（後述するＹバー３２に平行な方向）をＹ軸正方向、図１の紙面における左下方向（後述するガイドレール３１に平行な方向）をＸ軸正方向とする。
【００１１】
カッティングプロッタ１は、被加工媒体２を固定保持する加工テーブル２０と、加工テーブル２０を水平に保持するとともに各機構の取り付けベースとなる本体フレーム１０と、加工テーブル２０の上方にＸ軸方向（前後方向）に移動自在に支持され後述するＸ軸駆動機構３５によりＸ軸方向に移動可能なＸ軸キャリッジ３０と、後述するＹバー３２に沿ってＹ軸方向（左右方向）に移動自在に支持され後述するＹ軸駆動機構４５によりＹ軸方向に移動可能な切削ユニット４０と、Ｘ軸キャリッジ３０の水平移動並びに後述するエンドミル４３の上下移動を制御し、当該制御により加工テーブル２０に固定保持された被加工媒体２の切削加工を制御するコントロールユニット５０等により構成される。
【００１２】
加工テーブル２０は、平坦面を有する支持盤２１と、支持盤２１の下面側に設けられた減圧室２２と、減圧室２２の空気を排気して減圧室２２を負圧に設定可能な真空ブロア２３と、加工テーブル２０の上方から見たときの中央部分に設けられその上面にシート状の被加工媒体２を載置させ固定保持可能な矩形のバキュームテーブル２４と、バキュームテーブル２４の上面を覆うように載置され被加工媒体２を支持する厚みが３ｍｍ程度の２枚のフェルト２５等により構成されている（図１及び図２参照）。
【００１３】
バキュームテーブル２４には、上下に貫通する微細な空気孔（図示せず）が多数形成され、当該空気孔と減圧室２２はバキュームテーブル２４の下面側に設けられ、バキュームテーブル２４の上面は２枚のシート状のフェルト２５に覆われた構成になっている。このように構成されることにより、空気孔及びフェルト２５を介して上下方向に空気を通過させることが可能になっている。よって、真空ブロア２３により減圧室２２を負圧に設定することにより、被加工媒体２をバキュームテーブル２４に真空吸着させて固定保持することが可能になっている。
【００１４】
Ｘ軸キャリッジ３０は、支持盤２１の上面に、Ｘ軸方向に平行に延びて設けられる左右一対のガイドレール３１，３１と、Ｙ軸方向に延びるように設けられガイドレール３１，３１にＸ軸方向に移動自在に保持されているＹバー３２と、ガイドレール３１，３１にそれぞれ嵌合されＹバー３２の左端部及び右端部を固定させるためのスライドブロック３３，３４と、Ｙバー３２をＸ軸方向に移動させるＸ軸駆動機構３５とにより構成されている。ガイドレール３１は、直動ガイドあるいはリニアガイドとも称される直動軸受の支持レールが用いられている。Ｙバー３２は、アルミ材を用いて棒状に延びるように形成され、支持盤２１の上方を跨いだ状態でＸ軸方向にスライド移動自在に支持されている。Ｘ軸駆動機構３５は、加工テーブル２０の下面側にガイドレール３１と平行に前後に延びて配設されたボールネジ（図示せず）と、ボールネジを回転駆動させるサーボモータ（図示せず）と、ボールネジに嵌合支持されＸ軸キャリッジ３０に固定されたボールナットとにより構成されており、サーボモータを回転駆動させることによりＹバー３２及びスライドブロック３３，３４をＸ軸方向に移動させることが可能になっている。
【００１５】
切削ユニット４０は、図１、図２、及び図４に示すように、Ｙ軸方向にスライド移動自在に支持されたスライダ４１と、後述するエンドミル４３をその長手方向に延びる軸を中心として回転駆動させる回転駆動部４２と、被加工媒体２を切削可能なエンドミル４３と、スライダ４１をＹ軸方向に移動させるＹ軸駆動機構４５と、回転駆動部４２にエンドミル４３を回転させるとともにエンドミル４３を上下移動可能な切削駆動機構４６とを備えて構成される。スライダ４１は、Ｙバー３２の前面にＹ軸方向に延びるように固定されたＹ軸ガイドレール３２ａに嵌合された状態になっている。また、スライダ４１の前面側に設けられた凸部の下面には図示省略する係合孔が設けられ、後述する凹凸測定手段１００の凸部１００ａ（図５参照）を当該係合孔に嵌合させることにより凹凸測定手段１００をスライダ４１に固定支持することができるようになっている。回転駆動部４２は、上記凹凸測定手段１００と同様に、スライダ４１の凸部の下面に着脱可能に支持されている。エンドミル４３は、回転駆動部４２の下部に着脱可能に構成され、回転駆動部４２に対して上下移動することができるようになっており、切削駆動機構４６が回転駆動部４２を用いてエンドミル４３を回転させ被加工媒体２に押圧及び移動させることにより被加工媒体２の切削加工を行うことが可能になっている。なお、回転駆動部４２には、エンドミル４３だけでなくカッター刃等を着脱することも可能になっている。
【００１６】
Ｙ軸駆動機構４５は、スライダ４１をＹ軸方向に移動可能に構成され、Ｙバー３２の左端側と右端側にそれぞれ回転自在に設けられた駆動プーリ（図示せず）及び従動プーリ（図示せず）と、駆動プーリを回転駆動させるサーボモータ（図示せず）と、駆動プーリと従動プーリに巻き掛けられた無端ベルト状の駆動ベルト（図示せず）とにより構成され、駆動ベルトの中間部にスライダ４１を固定するように構成されている。なお、駆動ベルトの内周面には多数の歯が形成されたタイミングベルト、駆動プーリ及び従動プーリにはタイミングプーリが用いられ切削ユニット４０の移動（移動方向、移動速度、左右方向位置等）を微細に制御することができるようになっている。
【００１７】
コントロールユニット５０は、図３に示すように、切削形状データ読込部５２と、切削形状設定部５３と、駆動制御部５４と、入力部５５と、表示部５６等により構成されている。切削形状データ読込部５２は、所定の加工プログラム及びユーザにより入力された所望の加工形状（以下、加工形状データと称する）を読み込み、加工形状データを切削形状設定部５３に送信するように構成される。切削形状設定部５３は、切削形状データ読込部５２から受信した加工形状データを参照して被加工媒体２を切削加工する際に用いられるカッティングデータ（形状データ）を作成し、作成したカッティングデータを駆動制御部５４に送信する。駆動制御部５４は、カッティングプロッタ１の各軸駆動機構を含む装置全体を制御することが可能であり、切削形状設定部５３から受信したカッティングデータに基づいて、上述したＸ軸駆動機構３５、Ｙ軸駆動機構４５、及び切削駆動機構４６等の作動を制御することによりＸ軸キャリッジ３０及び切削ユニット４０の水平移動並びにエンドミル４３の上下移動を制御し、この制御により加工テーブル２０に固定保持された被加工媒体２を切削加工することが可能になっている。
【００１８】
入力部５５は、ユーザがカッティングプロッタ１を作動させるための指示を入力するために設けられたタッチパネルであり、ユーザは、入力部５５を介して切削手順の指示（例えば、時計回りまたは反時計回りに切削加工を行わせる指示や、切削速度、エンドミルの被加工媒体への押し付け力等の切削条件の指示）を行うとともに、スライダ４１をＹ軸方向にそしてＹバー３２をＸ軸方向に往復移動させてフェルト２５に載置された被加工媒体２の上面の凹凸を測定することが可能になっている（後に詳述）。また、表示部５６は、上記切削条件や切削形状、カッティングプロッタ１の作動結果を表示するディスプレイとして使用される。
【００１９】
ところで、被加工媒体２を切削加工する際の品質を維持するため、被加工媒体２をフェルト２５に載置した時点で、被加工媒体２の上面の高さを均一にする必要がある。しかし、フェルト２５の厚さが変動したりバキュームテーブル２４の高さに微小な差（公差）が生じたりする等の理由によって、被加工媒体２の上面の高さにばらつきが発生することがある。このような状態で切削加工を行うと、被加工媒体２への切り込みの深さにばらつきが生じ切削加工の品質が劣化したり、被加工媒体２の下部のフェルト２５を切削することによりフェルト２５の交換頻度が増加する問題が発生する。
【００２０】
そこで、本実施形態におけるカッティングプロッタ１では、図３に示すように、凹凸情報記憶部５１および凹凸測定手段１００が設けられ、凹凸測定手段１００によりフェルト２５の上面に載置された被加工媒体２の上面の凹凸を測定して、この測定結果を基に被加工媒体２の上面に形成された高さのばらつきが実際の切削加工に影響しないようにすることが可能になっている。以下で、凹凸情報記憶部５１及び凹凸測定手段１００について説明する。
【００２１】
凹凸情報記憶部５１は、図３に示すようにコントロールユニット５０に設けられ、凹凸測定手段１００によりフェルト２５の上面に載置された被加工媒体２の上面の凹凸（以下、凹凸情報と称する）を読み込み、読み込んだ凹凸情報を駆動制御部５４に送信するように構成されている。駆動制御部５４は、当該凹凸情報に基づいて、切削駆動機構４６にエンドミル４３の上下位置を調節させながら被加工媒体２の切削加工を行う（後に詳述）。
【００２２】
凹凸測定手段１００は、フェルト２５の上面に載置された被加工媒体２の凹凸を測定する変位センサであり、図４及び図５に示すように、凹凸測定手段１００の凸部１００ａをスライダ４１の係合孔（図示せず）に嵌合させることによりスライダ４１に固定支持することが可能になっている。また、本実施形態における凹凸測定手段１００は、接触式の変位センサであり、棒状に延びる測定部１００ｂの先端を被加工媒体２に当接させることにより凹凸を測定することが可能になっている。なお、ここで用いる凹凸測定手段１００は接触式の変位センサに限定されることなく、例えば、ダイヤルゲージ式、渦電流式、光学式、エアセンサ等、非接触式の変位センサを使用してもよい。
【００２３】
以上のように構成されるカッティングプロッタ１及び凹凸測定手段１００を用いてフェルト２５の上面に載置された被加工媒体２の凹凸を測定しその測定結果を実際の切削加工に反映させる方法について以下で説明する。まず、フェルト２５の上面に載置された被加工媒体２におけるＹ軸に平行な任意の直線部分の凹凸を測定しその測定結果を切削加工に反映させる方法について説明する。事前準備として、図５に示すように、凹凸測定手段１００の凸部１００ａをスライダ４１の前方下部に設けられた係合孔（図示せず)に嵌合させて、凹凸測定手段１００を、その測定部１００ｂがＺ軸負方向に延びるように、そして測定部１００ｂの先端が被加工媒体２の上面に当接するように取り付ける。
【００２４】
以下で、図６（ａ）に示すように、２枚のフェルト２５に載置した被加工媒体２の上面におけるＹ軸に平行な任意の直線部分（線分ＡＢ）において、その左端部分が長さｅ１、右端部分が長さｅ２だけＺ軸負方向に凹んでいる場合について説明する。まず、上記のように、凹凸測定手段１００をスライダ４１に取り付けて、カッティングプロッタ１の電源スイッチをオンにした後、入力部５５を操作してスライダ４１をＹ軸方向に移動させ被加工媒体２の凹凸の測定を行う。スライダ４１をＹ軸方向に移動させると、スライダ４１に固定支持された凹凸測定手段１００もＹ軸方向に移動し、凹凸測定手段１００は、図６（ｃ）に示すような、左端部分が長さｅ１、右端部分が長さｅ２だけＺ軸負方向に凹んでいる形状の凹凸測定結果１２１を凹凸情報として出力する。凹凸情報記憶部５１は、当該凹凸情報（凹凸測定結果１２１）を読み込み、駆動制御部５４に送信する。
【００２５】
ここで、そのまま線分ＡＢに沿って切削加工をすると被加工媒体２の上面の凹みの影響を受けて、図６（ｂ）に示すように、線分ＡＢの中央部分はフェルト２５まで深く削れて両端部分は浅く削れるといったように、切削の深さにばらつきが発生する問題が生じる。このような事態を防止するために、駆動制御部５４は、線分ＡＢの切削加工を行う際に、線分ＡＢの、左端部分が長さｅ１、右端部分が長さｅ２だけＺ軸負方向に曲がっている形状に、切削形状設定部５３から受信したカッティングデータを補正する。そして、補正したカッティングデータに基づいて被加工媒体２の切削加工を行うと、切削駆動機構４６は、被加工媒体２の凹凸に沿ってエンドミル４３を回転駆動部４２に対して上下移動させながら切削加工を行うようになり、被加工媒体２を同じ深さで切削加工することができる。
【００２６】
また、図７に示すように、凹凸測定手段１００がスライダ４１に取り付けられた状態で被加工媒体２上を走査して、被加工媒体２全体における凹凸情報を取得することができるようになっている。ここで得られた凹凸情報は、上記同様、凹凸情報記憶部５１に保持されるようになっており、凹凸情報が保持された後は、常に、駆動制御部５４が、当該凹凸情報に基づきエンドミル４３の上下位置を調節させながら切削加工するように作動する。
【００２７】
上記凹凸情報は、上述したように凹凸測定手段１００を用いることにより随時更新することが可能になっている。例えば、使用する被加工媒体またはフェルトの種類が変わって被加工媒体の上面の高さが変化した場合は、再度凹凸測定手段１００を用いて凹凸情報記憶部５１の凹凸情報を更新することにより、随時凹凸に沿って切削加工することが可能になり、被加工媒体の上面の高さのばらつきにより加工品質が劣化する問題を完全に無くすことができる。
【００２８】
以上、本実施形態におけるカッティングプロッタ１においては、切削加工前にフェルト２５の上面に載置された被加工媒体２の凹凸を測定し、測定した凹凸に沿ってエンドミル４３を上下させながら切削加工を行うように制御することにより、被加工媒体２への切り込みの深さにばらつきが生じ切削加工の品質が劣化する事態を防止することができる。また、意図せずフェルト２５を深く切削してしまう問題の発生を抑えることも可能になるため、フェルト２５の交換頻度を削減することができる。
【００２９】
また、本実施形態においては、凹凸測定手段１００を用いて凹凸情報記憶部５１の凹凸情報を更新する例について示したが、凹凸情報を更新するタイミングについては、原則制限がなく、例えば、電源スイッチをオンにした後、カッティングプロッタ１の製造後出荷前、または、被加工媒体またはフェルトの種類を変更した後でもよい。
【００３０】
そして、凹凸測定手段１００及び凹凸情報記憶部５１を用いてエンドミル４３の上下位置を調節しながら切削加工を行うことを特徴とする本発明は、上述した実施形態だけでなく、例えば、被加工媒体駆動型等、他の種類のカッティングプロッタにも適用させることができる。
【００３１】
例えば、本実施形態で示したような、上方（Ｚ軸正方向）からエンドミル４３を被加工媒体２に押し付けて切削加工するタイプのカッティングプロッタ１ではなく、被加工媒体２を、その加工面が横方向（ＸＹ平面に対して平行な方向）を向くように吸着保持させ、横方向からエンドミル４３を押しつけて切削加工するタイプのカッティングプロッタ等にも本発明を適用することができる。
【符号の説明】
【００３２】
１      カッティングプロッタ
２      被加工媒体
２０    加工テーブル（媒体支持手段）
３１    ガイドレール（第１ガイドレール）
３２    Ｙバー（第２ガイドレール）
４１    スライダ（キャリッジ）
４３    エンドミル（加工具）
５０    コントロールユニット（加工制御手段）
１００    凹凸測定手段
【図１】
2011020203.tif 000003
【図２】
2011020203.tif 000004
【図３】
2011020203.tif 000005
【図４】
2011020203.tif 000006
【図５】
2011020203.tif 000007
【図６】
2011020203.tif 000008
【図７】
2011020203.tif 000009